(57)【要約】      （修正有）【課題】比較的長期に亘って居住者のいない居住用建物に設置されている排水口からの臭気が居室内へと漏出することを防止するために該排水口を閉塞する排水口用蓋に関し、該排水口の形状及び口径に合わせて簡便に変形させることができるとともに、該排水口への取付け及び取外しを簡便に行うことができ、かつ、芳香を発することのできる排水口用蓋を提供する。【解決手段】排水口用蓋１は、人力により折り曲げることのできる程度の柔軟性のある材料を用いて平板状に形成されているとともに、排水口用蓋１を設置する排水口の形状及び口径を表す目印２が表示されている。排水口用蓋１には、使用者の指掛部３が設けられている。また、排水口用蓋１は、芳香を付与された材料により形成されている。【選択図】図１
0003161195.tif 000002
【実用新案登録請求の範囲】
【請求項１】
排水口からの臭気の漏出を防止するために排水口を閉塞するための排水口用蓋であって、該排水口用蓋が人力により折り曲げることのできる程度の柔軟性のある材料を用いて平板状に形成されているとともに、該排水口用蓋の設置の対象となる排水口の形状及び／又は口径を表す目印が表示されていることを特徴とする排水口用蓋。
【請求項２】
請求項１に記載した排水口用蓋であって、前記排水口用蓋が段ボール材を用いて形成されていることを特徴とする排水口用蓋。
【請求項３】
請求項１又は２に記載した排水口用蓋であって、前記排水口用蓋に該排水口用蓋を設置した排水口から取り外す際に指を掛けるための指掛部が設けられていることを特徴とする排水口用蓋。
【請求項４】
請求項１から３までの何れかに記載した排水口用蓋であって、前記排水口用蓋が芳香を付与された材料により形成されていることを特徴とする排水口用蓋。
【考案の詳細な説明】
【技術分野】
【０００１】
本考案は、主として、比較的長期に亘って居住者のいない居住用建物に設置されている排水口からの臭気が居室内へと漏出することを防止するために該排水口を閉塞する排水口用蓋に関し、該排水口の形状及び口径に合わせて簡便に変形させることができるとともに、該排水口への取付け及び取外しを簡便に行うことができ、かつ、芳香を発することのできる排水口用蓋に関する。
【背景技術】
【０００２】
従来、一般に、アパート及びマンション等の居住用の賃貸建物では、以前の居住者が退去してから新たな居住者が入居するまでの比較的長期に亘って居住者のいない空室の期間中、該居住用建物における台所、浴室、便所、及び洗面所等の水回り設備に連結されている排水管内から、臭気が排水口を通って居室内に漏出することを防止するために、排水管内のトラップに水を貯留することが行われているところである。
【０００３】
しかしながら、空室の期間が長期に亘る場合には、排水管内のトラップに貯留されていた水が蒸発して失われてしまうため、排水管内の臭気が排水口を通って居室内に漏出してしまうことがある。そこで、一般に、このような排水管内のトラップに貯留した水が蒸発して失われてしまうことを防止するとともに、該水が蒸発して失われてしまったとしても排水管内の臭気が排水口を通って居室内に漏出することを防止するために、粘着テープ等を貼り付けて排水口を封じること、あるいは便所であればラップフィルム等を用いて便器を覆うこと等が行われているところである。
【０００４】
確かに、上記のような手段を講じることにより、排水管内のトラップに貯留した水が蒸発して失われてしまうことを防止するとともに、該水が蒸発して失われてしまったとしても排水管内の臭気が排水口を通って居室内に漏出することを防止することができる。
【０００５】
しかしながら、粘着テープ等を貼り付けて排水口を封じる作業、あるいはラップフィルム等を用いて便器を覆う作業等は煩雑である。また、排水口を封じていた粘着テープ及び便器等を覆っていたラップフィルムは、その取り外し後、一般に全て廃棄されることとなるため、多量の廃棄物が生じることになる。
【０００６】
そこで、排水口に簡便に設置することができるように、例えば、接着剤を周縁に塗布した防臭用カバー等が提案されているところである（例えば、特許文献１参照。）。
【先行技術文献】
【特許文献】
【０００７】
【特許文献１】特開２００６−１２５１２９号公報
【考案の概要】
【考案が解決しようとする課題】
【０００８】
確かに、上記の従来技術に係る接着剤を周縁に塗布した防臭用カバーは、排水口に簡便に設置することができるという観点からは有効である。また、該防臭用カバーは排水口を閉塞することができる面積があれば十分であるから、その取り外し後に多量の廃棄物が生じることはないという観点からも有効である。更に、排水口からの臭気が居室内へと漏出することを防止するという観点からは、排水口用蓋から芳香が発せられることが好ましいところ、該防臭用カバーは消臭剤及び芳香剤を収納する構造となっていて、好適である。
【０００９】
しかしながら、排水口の形状及び口径は、必ずしも一律のものではなく、様々な形状及び口径の排水口が存するところである。そうすると、排水口の形状及び口径に合わせた排水口用蓋を供給するとすれば、供給者は何種類もの排水口用蓋を供給しなければならず、需要者もまた何種類も供給されている排水口用蓋から該排水口用蓋を設置しようとしている排水口の形状及び口径に合った排水口用蓋を選択しなければならないこととなり、煩雑である。そこで、本考案が解決しようとする第一の課題は、排水口からの臭気が居室内へと漏出することを防止するために該排水口を閉塞する排水口用蓋につき、該排水口の形状及び口径に合わせて簡便に変形させることができる排水口用蓋を提供することにある。
【００１０】
また、上記の従来技術に係る防臭用カバーは、その周縁に塗布された接着剤により排水口に取り付けるものであるから、特にその取り外しの作業が煩雑である。そこで、本考案が解決しようとする第二の課題は、排水口からの臭気が居室内へと漏出することを防止するために該排水口を閉塞する排水口用蓋につき、該排水口への取付け及び取外しを簡便に行うことができる排水口用蓋を提供することにある。
【００１１】
更に、上記の従来技術に係る防臭用カバーは、別途消臭剤及び芳香剤を収納する構造となっているが、そのような複雑な構造を備えるのではなく、蓋部材そのものから芳香が発せられるようにした方が、芳香を発することのできる排水口用蓋をより簡便に形成することができる。そこで、本考案が解決しようとする第三の課題は、排水口からの臭気が居室内へと漏出することを防止するために該排水口を閉塞する排水口用蓋につき、芳香を発することができるように簡便に形成された排水口用蓋を提供することにある。
【課題を解決するための手段】
【００１２】
本考案の第一及び第二の課題を解決するため、請求項１に係る排水口用蓋は、排水口からの臭気の漏出を防止するために排水口を閉塞するための排水口用蓋であって、該排水口用蓋が人力により折り曲げることのできる程度の柔軟性のある材料を用いて平板状に形成されているとともに、該排水口用蓋の設置の対象となる排水口の形状及び／又は口径を表す目印が表示されていることを特徴とする排水口用蓋である。
【００１３】
本考案の第一及び第二の課題を解決するため、請求項２に係る排水口用蓋は、請求項１に記載した排水口用蓋であって、前記排水口用蓋が段ボール材を用いて形成されていることを特徴とする排水口用蓋である。
【００１４】
本考案の第一及び第二の課題を解決するため、請求項３に係る排水口用蓋は、請求項１又は２に記載した排水口用蓋であって、前記排水口用蓋に該排水口用蓋を設置した排水口から取り外す際に指を掛けるための指掛部が設けられていることを特徴とする排水口用蓋である。
【００１５】
本考案の第一から第三までの課題を解決するため、請求項４に係る排水口用蓋は、請求項１から３までの何れかに記載した排水口用蓋であって、前記排水口用蓋が芳香を付与された材料により形成されていることを特徴とする排水口用蓋である。
【考案の効果】
【００１６】
請求項１に記載した本考案に係る排水口用蓋は、上記の通りの構成であるから、以下のような効果を奏することができる。
【００１７】
請求項１に記載した排水口用蓋は、人力により折り曲げることのできる程度の柔軟性のある材料を用いて平板状に形成されているとともに、該排水口用蓋の設置の対象となる排水口の形状及び／又は口径を表す目印が表示されていることにより、使用者が、該排水口用蓋を設置しようとしている排水口の形状及び口径を示している目印に合わせて折り曲げて、排水口に引っ掛けて取り付けることができる。また、該排水口用蓋は、接着剤等を用いて排水口に貼り付けるものではなく、排水口に引っ掛けて取り付けるものであるから、該排水口から取り外す作業も簡便に行うことができる。従って、請求項１に記載した排水口用蓋は、排水口からの臭気が居室内へと漏出することを防止するために該排水口を閉塞する排水口用蓋につき、該排水口の形状及び口径に合わせて簡便に変形させることができる排水口用蓋を提供するという本考案の第一の課題を解決することができるとともに、該排水口への取付け及び取外しを簡便に行うことができる排水口用蓋を提供するという本考案の第二の課題を解決することができるのである。
【００１８】
とりわけ、請求項２に記載した排水口用蓋は、請求項１に係る排水口用蓋であって、該排水口用蓋が段ボール材を用いて形成されているものであるところ、一般に、段ボール材は安価で供給されており、また、その加工も容易であるから、本考案に係る排水口用蓋に用いる人力により折り曲げることのできる程度の柔軟性のある材料として、好適である。
【００１９】
また、請求項３に記載した排水口用蓋は、請求項１又は２に係る排水口用蓋であって、該排水口用蓋に該排水口用蓋を取り付けた排水口から取り外す際に指を掛けるための指掛部が設けられていることにより、使用者が指掛部に指を引っ掛けて持ち上げることにより該排水口から簡便に取り外すことができる。従って、請求項３に記載した排水口用蓋は、排水口からの臭気が居室内へと漏出することを防止するために該排水口を閉塞する排水口用蓋につき、該排水口への取付け及び取外しを簡便に行うことができる排水口用蓋を提供するという本考案の第二の課題を解決するのに好適である。
【００２０】
更に、請求項４に係る排水口用蓋は、請求項１から３までの何れかに記載した排水口用蓋であって、前記排水口用蓋が芳香を付与された材料により形成されている。従って、請求項４に記載した排水口用蓋は、排水口からの臭気が居室内へと漏出することを防止するために該排水口を閉塞する排水口用蓋につき、芳香を発することができるように簡便に形成された排水口用蓋を提供するという本考案の第三の課題を解決することができるのである。
【図面の簡単な説明】
【００２１】
【図１】本考案の一実施形態に係る排水口用蓋を示した斜視図である。
【図２】本考案の一実施形態に係る排水口用蓋の使用状態を示した斜視図である。
【図３】本考案の一実施形態に係る排水口用蓋の使用状態を示した縦断面図である。
【考案を実施するための形態】
【００２２】
本考案の一実施形態に係る排水口用蓋１は、図１に図示するように、人力により折り曲げることのできる程度の柔軟性のある材料を用いて平板状に形成されている。
【００２３】
排水口用蓋１の材料としては、例えば、段ボール材を用いることができる。段ボール材は、一般に、安価で供給されているとともに、その加工も容易であり、また、排水口から取り外した後の廃棄及び再利用も簡便に行い得るから、排水口用蓋１に用いる材料として、好適である。また、段ボール材は、ライナー部分への印刷が広く一般的に行われているところであり、またその印刷も容易であることから、印刷等により排水口の形状及び口径を表す目印２を簡便に表示することができるという観点からも、排水口用蓋１に用いる材料として、好適である。
【００２４】
ところで、排水口用蓋１は湿気のある排水口４に取り付けるものであるところ、排水口用蓋１を段ボール材で形成した場合、排水口用蓋１が湿気を吸い込んでしまうことにより軟弱化することが懸念される。そこで、排水口用蓋１に用いる段ボール材としては、湿気を吸い込むことによる軟弱化を防止する観点から、二層ないし三層構造の段ボール材を用いるとともに、防水加工ないし耐水加工の施された段ボール材を用いることが好適である。
【００２５】
排水口用蓋１は、図１及び２に図示するように、その表面に排水口の形状及び口径を表した目印２が表示されている。図１及び２では、目印２として、排水口用蓋１に排水口の形状を表す実線並びに排水口の直径を表す数値が表示されているが、排水口の形状及び口径を表す目印であれば、特にこれに限定されるものではない。また、併せて、排水口４の設置されている洗面台等の水回り設備５の製造元企業の名称等を記載してもよい。排水口用蓋１の材料として、段ボール材を用いる場合には、該段ボール材のライナーの表面に、排水口の形状及び口径を表す所望の目印を印刷することにより、目印２を表示することができる。使用者は、排水口用蓋１を取り付けようとする排水口４の形状及び口径に合った所望の目印２に沿って排水口用蓋１を折り曲げて、排水口４に排水口用蓋１を引っ掛けて取り付けることができる。図３に図示するように、排水口４に排水口用蓋１を取り付けることにより、排水口４が閉塞され、排水管内のトラップに貯留した水が蒸発して失われてしまうことを防止するとともに、該水が蒸発して失われてしまったとしても排水管内の臭気が排水口４を通って居室６内に漏出することを防止することができる。
【００２６】
排水口用蓋１は、図１及び２に図示するように、中央部に指掛部３が設けられている。指掛部３は、排水口用蓋１の材料として段ボール材を用いる場合には、例えば、図１及び２に図示するように、所望の切れ込みを入れて形成することができる。使用者は、排水口用蓋１を排水口４から取り外す際に、指掛部３に使用者の指を掛けて、排水口用蓋１を引き上げることにより、排水口用蓋１を排水口４から簡便に取り外すことができるのである。
【００２７】
排水口用蓋１は、排水口４からの臭気が居室６内へと漏出することを防止する観点から、芳香を付与された段ボール材により形成することが、好適である。芳香を付与された段ボール材としては、例えば、微粒子状の芳香剤の存在する雰囲気内に曝露することにより芳香性を付与された段ボール材あるいはライナーの表面に粉末状の芳香剤を吹き付け又は液状の芳香剤を塗布することにより芳香性を付与された段ボール材等を用いることができる。
【符号の説明】
【００２８】
１  排水口用蓋
２  目印
３  指掛部
４  排水口
５  水回り設備
６  居室
【図１】
0003161195.tif 000003
【図２】
0003161195.tif 000004
【図３】
0003161195.tif 000005